(57)【要約】【課題】  専用の絶縁部品を用いることなく、モニタ近傍のボタン操作部と電子部品との間に十分な沿面距離を確保し、静電気による電子部品の破損を確実に防止する。【解決手段】  インターホン機器１の筐体１０は表ケース１１と裏ケース１２とを備える。表ケース１１の内側に液晶モニタ２１を配置し、モニタケース２２で表ケース１１に組み付ける。液晶モニタ２１近傍の表ケース１１にボタン操作部１４を形成し、ボタン操作部１４によって基板２６上のボタン２４を操作する。モニタケース２２に電気絶縁部２３を延設し、電気絶縁部２３でボタン操作部１４と表ケース１１との隙間５３を基板２６側から被覆し、隙間５３を通って筐体１０内部に侵入する静電気から基板２６上の電子部品２５を保護する。【選択図】  図２
2015162786.tif 000002
【特許請求の範囲】
【請求項１】
インターホン機器の筐体を形成する表ケースと裏ケースと、前記表ケースの内側に配置されるモニタと、該モニタを表ケースに組み付けるためのモニタケースと、前記モニタ近傍の表ケースに形成されたボタン操作部と、該ボタン操作部によって操作されるボタン及び電子部品が実装された基板と、前記ボタン操作部を形成するために前記表ケースに生じた隙間を前記基板側から被覆する電気絶縁部とを備え、該電気絶縁部を前記ボタン操作部と前記電子部品との間の空間に張り出すように前記モニタケースに延設したことを特徴とするインターホン機器。
【請求項２】
前記モニタケースが少なくとも前記電気絶縁部を取り囲む周壁と、該周壁の内側に前記基板上の前記電子部品を収容する部屋とを備える請求項１に記載のインターホン機器。
【請求項３】
前記表ケースが前記電気絶縁部の表面に当接するリブを備え、前記モニタケースが前記基板の表面に当接する当接部を備え、前記裏ケースが前記基板の裏面を支持する支持部を備え、前記モニタケース及び前記基板が前記表ケースと前記裏ケースとの間に挟み付けられている請求項１又は２に記載のインターホン機器。
【請求項４】
前記ボタン操作部が前記表ケースに弾性変形可能に形成され、該ボタン操作部の裏面及び／又は前記電気絶縁部の表面に該操作部の押し込み位置を制限するための突起が設けられている請求項１、２又は３に記載のインターホン機器。
【発明の詳細な説明】
【技術分野】
【０００１】
本発明は、モニタの下側にボタン操作部を設けたインターホン機器に関する。
【０００２】
インターホン機器は、居住者の音声を入力するマイク、来訪者の音声を出力するスピーカとともに、来訪者の映像を表示するためのモニタを備えている。近年においては、モニタに操作案内を表示した上で、ユーザにボタン操作部を操作させるインターホン機器が多く提供されている。
【０００３】
ボタン操作部は、通常、モニタの近傍においてインターホン機器のケースに設けられ、ユーザの操作によってケースの表面からインターホン機器の内部へ押込まれる。このとき、ケースとボタン操作部の境目に隙間が開き、この隙間から静電気が侵入し、ケース内部の電子部品を破損させるおそれがある。このため、ボタン操作部と電子部品の間には、十分な空間距離または沿面距離を確保する必要がある。
【０００４】
そこで、従来より、インターホン機器のケースに厚みをもたせることにより、ボタン操作部と電子部品との間の空間距離を長くする技術が多用されている。また、外部に接する部位と電子部品の間に絶縁体からなる専用部品を介在させて沿面距離を長くする技術も提案されている。例えば、特許文献１には、インターホン機器のスピーカ部において、表ケースとスピーカの間に絶縁部材を介在させることで、沿面距離を稼ぐ技術が記載されている。
【先行技術文献】
【特許文献】
【０００５】
【特許文献１】特開２０１０−４１１０６号公報
【発明の概要】
【発明が解決しようとする課題】
【０００６】
ところが、前者の従来技術によると、筐体が大型化するという問題点があった。また、後者の従来技術によると、沿面距離を稼ぐために専用部品が必要になることから、インターホン機器の組付工数が増え、コストがかかるという問題点があった。
【０００７】
本発明の目的は、専用の絶縁部品を用いることなく、モニタ近傍のボタン操作部と電子部品との間に十分な沿面距離を確保し、静電気による電子部品の破損を確実に防止できるインターホン機器を提供することにある。
【０００８】
上記課題を解決するために、本発明は次のようなインターホン機器を提供する。
（１）インターホン機器の筐体を形成する表ケースと裏ケースと、表ケースの内側に配置されるモニタと、該モニタを表ケースに組み付けるためのモニタケースと、モニタ近傍の表ケースに形成されたボタン操作部と、ボタン操作部によって操作されるボタン及び電子部品が実装された基板と、ボタン操作部を形成するために表ケースに生じた隙間を基板側から被覆する電気絶縁部とを備え、電気絶縁部をボタン操作部と電子部品との間の空間に張り出すようにモニタケースに延設したことを特徴とするインターホン機器。
【０００９】
（２）モニタケースが少なくとも電気絶縁部を取り囲む周壁と、周壁の内側に基板上の電子部品を収容する部屋とを備えることを特徴とする上記１に記載のインターホン機器。
【００１０】
（３）表ケースが電気絶縁部の表面に当接するリブを備え、モニタケースの周壁が基板の表面に当接し、裏ケースが基板の裏面を支持する支持部を備え、インターホン機器の組立状態で、モニタケース及び基板が表ケースと裏ケースとの間に挟み付けられることを特徴とする上記２に記載のインターホン機器。
【００１１】
（４）ボタン操作部が表ケースに弾性変形可能に形成され、ボタン操作部の裏面及び／又は電気絶縁部の表面にボタン操作部の押し込み位置を制限するための突起が設けられていることを特徴とする上記１、２又は３に記載のインターホン機器。
【発明の効果】
【００１２】
本発明のインターホン機器によれば、ボタン操作部の隙間を被覆する電気絶縁部がボタン操作部と電子部品との間の空間に張り出して沿面距離を稼ぐため、筐体を大型化すること無く、静電気による電子部品の破損を確実に防止することができる。また、電気絶縁部はモニタケースと一体に形成されているので、専用の絶縁部品を使用すること無く、インターホン機器のモニタ部に簡単かつ安価な構成の静電気絶縁構造を提供することが可能である。
【図面の簡単な説明】
【００１３】
【図１】本発明の一実施形態を示すインターホン機器の外観斜視図である。
【図２】図１のインターホン機器の分解斜視図である。
【図３】図１のインターホン機器の組立形態を示す断面図である。
【図４】インターホン機器のモニタケースを示す表側斜視図である。
【図５】同モニタケースの裏側斜視図である。
【図６】同モニタケースを表ケースに組み付けた状態を示す裏側斜視図である。
【図７】ボタン操作部を押下した状態を示す図３のＡ部拡大図である。
【発明を実施するための形態】
【００１４】
以下、本発明のインターホン機器の一実施形態を図面に基づいて説明する。
【００１５】
図１に示すように、インターホン機器１の筐体１０は、表ケース１１と裏ケース１２とを組み合わせて構成されている。表ケース１１の表面には、透明なモニタカバー１３が装着されるとともに、１つ以上のボタン操作部１４が押込み可能に設置されている。
【００１６】
図２、図３に示すように、モニタカバー１３は表ケース１１の開口窓２７に被さる大きさで形成されている。ボタン操作部１４は、開口窓２７の下側近傍において、表ケース１１に切り込まれた溝又は隙間５３によって、該表ケース１１に弾性変形可能に一体形成されている。ボタン操作部１４の突起２８は、ユーザが指先で操作できるように、モニタカバー１３の開口部２９から外部に露出している。液晶モニタ２１は、表ケース１１の内側に開口窓２７を覆うように配置され、モニタケース２２によって、表ケース１１に組み付けられている。
【００１７】
モニタケース２２は、合成樹脂材料で四角形の板状に成形され、液晶モニタ２１の電気配線３６を通す配線口３７と、ボタン操作部１４の隙間５３を基板２６側から被覆する電気絶縁部２３とを備えている。基板２６は、モニタケース２２の下側において表ケース１１と裏ケース１２との間に配置されている。基板２６の表面には、表ケース１１のボタン操作部１４によって押し込まれるボタン２４と、液晶モニタ２１の動作に関連する電子部品２５と、スピーカ３０を含む各種の電子ディバイスが設けられている。そして、電気絶縁部２３が、ボタン操作部１４と電子部品２５との間の空間に張り出すように、モニタケース２２の一辺に延設されている。
【００１８】
図４、図５に示すように、モニタケース２２の表面には、液晶モニタ２１を位置決めするための環状壁３１が周設されている。環状壁３１の相対する２個所には、モニタケース２２を基板２６に取り付けるための爪３２がモニタケース２２の裏面から突出するように設けられている。モニタケース２２の裏面には、電気絶縁部２３を取り囲むように周壁３４が形成されるとともに、周壁３４の内側に基板２６上の電子部品２５を収容する部屋３９が設けられている。
【００１９】
図６に示すように、表ケース１１の裏面には、モニタケース２２を嵌め込むための嵌合壁４１と、電気絶縁部２３の表面段差部３３（図４参照）に当接するリブ４２とが立設されている。また、表ケース１１の裏面には、電気絶縁部２３の貫通孔３５（図５参照）に嵌合する突起４４が設けられ、突起４４と貫通孔３５との嵌合によってモニタケース２２が表ケース１１に位置決めされている。なお、ボタン操作部１４はボタン２４に接触する接触子４３を備え、電気絶縁部２３の周壁３４と表ケース１１のリブ４２との間に接触子４３を基板２６側へ露出させる穴４５が形成されている。
【００２０】
図３、図７に示すように、ボタン操作部１４の裏面には突起５１，５２が形成され、ボタン操作部１４が押し込まれたときに、突起５１，５２が電気絶縁部２３の表面に当接して、接触子４３の押し込み位置を制限するようになっている。そして、インターホン機器１の組立状態では、表ケース１１に設けられたリブ４２が電気絶縁部２３の表面段差部３３に当接し、モニタケース２２の周壁３４が基板２６の表面に当接する。また、裏ケース１２の内面には、基板２６の裏面を支持するボス部４７が突設され、ボス部４７を貫通するネジ４８によって表ケース１１と裏ケース１２とが組み合わされ、両者の間にモニタケース２２及び基板２６が強固に挟み付けられている。
【００２１】
以上のように構成されたインターホン機器１によれば、ボタン操作部１４の隙間５３をモニタケース２２の電気絶縁部２３により基板２６側から被覆しているので、ユーザの指先から隙間５３を通って筐体１０の内部に侵入した静電気が電子部品２５に到達するまでには、電気絶縁部２３の表面及び周壁３４を回り込まなければならず、絶縁部２３が無い場合に比べて沿面距離を大幅に延長することができる。また、電気絶縁部２３が液晶モニタ２１と略同じ平面内をボタン操作部１４と電子部品２５との間の空間に張り出すようにモニタケース２２に延設されているため、ボタン操作部１４と電子部品２５との距離を狭くすることが可能となり、インターホン機器１の薄型化を図ることができる。
【００２２】
また、電気絶縁部２３を周壁３４で取り囲み、周壁３４の内側に形成した部屋３９に電子部品２５を配置しているので、表ケース１１とボタン操作部１４との隙間５３から侵入した埃から電子部品２５をより確実に保護できる効果があるうえ、周壁３４がモニタケース２２の支柱として役割を果たすため、強度の低い電子部品２５を操作力Ｆ又は外圧から保護できるという効果もある。
【００２３】
さらに、インターホン機器１の組立状態では、モニタケース２２及び基板２６を表ケース１１と裏ケース１２との間に強固に挟着し、液晶モニタ２１を表ケース１１の所定位置に正確に位置決めできるとともに、表ケース１１とモニタケース２２との間にボタン操作部１４の適切な操作間隙を確保することができる。特に、ボタン操作部１４を最深部まで押込むと、突起５１，５２が電気絶縁部２３に当接することから、ボタン２４がボタン作用部１４の接触子４３により過剰に押込まれることを防止でき、ボタン２４の破損を防ぐ効果もある。
【００２４】
なお、本発明は上記実施形態に限定されるものではなく、例えば、ボタン操作部１４を液晶モニタ２１の左側又は右側あるいは上側に形成したり、それに応じて、モニタケース２２における電気絶縁部２３の位置を変更したりすることもできる。また、ボタン操作部１４の押し込み位置を制限するための突起を電気絶縁部２３側に設けたり、ボタン操作部１４と電気絶縁部２３の両方に設けたりすることもできる。その他、本発明の趣旨を逸脱しない範囲で、各部の形状や構成を適宜に変更して実施することも可能である。
【符号の説明】
【００２５】
１    インターホン機器
１１    表ケース
１２    裏ケース
１４    ボタン操作部
２１    液晶モニタ
２２    モニタケース
２３    電気絶縁部
２４    ボタン
２５    電子部品
２６    基板
３４    モニタケースの周壁
３６    電子部品を収容する部屋
４２    表ケースのリブ
５１，５２    ボタン操作部の突起
５３    表ケースとボタン操作部との隙間
【図１】
2015162786.tif 000003
【図２】
2015162786.tif 000004
【図３】
2015162786.tif 000005
【図４】
2015162786.tif 000006
【図５】
2015162786.tif 000007
【図６】
2015162786.tif 000008
【図７】
2015162786.tif 000009